(57)【特許請求の範囲】
【請求項１】
内視鏡処置具挿通チャンネルに連通する挿通路を有する本体と、
この本体挿通路に連通するように形成され、シリンジ口を有するシリンジ用通路と、
このシリンジ用通路の上記本体挿通路側出口を塞ぐように、上記本体挿通路に密着配置し、かつ処置具が挿通可能な通路を確保する弾性チューブを含み、該チューブの上記挿通路上側位置に処置具を通過させかつ栓として機能するスリット栓部を一体形成した弾性チューブ体とを設け、
シリンジが上記シリンジ口に接続可能となると共に、処置具が上記スリットから導入可能となるように構成した内視鏡の鉗子栓。
【請求項２】
上記弾性チューブ体の上方に、フランジ状の突出部を形成し、上記本体挿通路には係合溝を形成し、この係合溝に上記突出部を係合させることにより、弾性チューブ体を本体挿通路に固定することを特徴とする請求項１記載の内視鏡の鉗子栓。
【発明の詳細な説明】
【技術分野】
【０００１】
本発明は、内視鏡内に配設された処置具挿通チャンネルの入口に設けられた内視鏡の鉗子栓、特に密閉性を維持すると共に、処置具の挿入及びシリンジの使用を可能にする鉗子栓の構成に関する。
【背景技術】
【０００２】
図６には、従来の内視鏡の構成が示されており、この内視鏡は、例えば固体撮像素子を備えた先端部１Ａ、湾曲部１Ｂ、そして操作部１Ｃ等を有する。この操作部１Ｃには、鉗子栓を有する鉗子口部（処置具挿通チャンネル導入口）３が設けられ、この鉗子口部３から先端部１Ａの先端面まで、処置具挿通チャンネル４が配設される。この処置具挿通チャンネル４には、被観察体内の流体物等を吸引するための吸引管５が接続されており、上記処置具挿通チャンネル４は吸引管としても機能するようになっている。また、上記操作部１Ｃには、湾曲操作ノブ６が設けられると共に、吸引ボタン７ａ、送気送水ボタン７ｂ、カメラシャッタボタン７ｃ等が配置される。
【０００３】
図７には、上記鉗子口部３の構成の一例が示されており、上述の処置具挿通チャンネル４の入口に、ゴム材質の鉗子栓８が取り付けられる。この鉗子栓８は、下側本体８ａの中心部に処置具を通すことのできる直線状の第１スリットＳ１が形成され、蓋体８ｂの中心部にも同様の第２スリットＳ２が形成されており、これらのスリットＳ１，Ｓ２は、処置具挿通チャンネル４内の密閉性を維持すると共に、処置具挿通チャンネル４への処置具の挿入を可能にするものである。
【０００４】
このような内視鏡によれば、上記吸引ボタン７ａの操作により、処置具挿通チャンネル４と吸引管５を介して被観察体の内容物を吸引することができ、また鉗子栓８を有する鉗子口部３から処置具（鉗子等）を導入し、先端部１Ａまで導くことにより、被観察体内の各種の処置を行うことが可能になる。このとき、上記鉗子栓８では、蓋体８ｂを外した状態で第１スリットＳ１のみから処置具を挿入したり、或いは蓋体８ｂを着けた状態で第１スリットＳ１及び第２スリットＳ２の両方から処置具を挿入したりすることができる。
【特許文献１】特開平３−７３１２７号公報
【特許文献２】特開平２−２００２３４号公報
【発明の開示】
【発明が解決しようとする課題】
【０００５】
ところで、従来の内視鏡では、上記特許文献１又は２に開示されるように、鉗子栓８からシリンジ（注射器）を処置具挿通チャンネル入口に挿入し、生理食塩水、薬液、空気等を被観察体内へ送ることが行われているが、従来の鉗子栓８では、処置具又はシリンジのいずれか一方しか使用することができない。即ち、処置具を挿入・使用しているときは、この処置具を引き抜かなければ、シリンジを挿入することができず、不便な場合があるという問題があった。
【０００６】
この問題点の解決方法として、処置具の挿入口とシリンジの挿入口の２つを形成することが考えられるが、この場合には、処置具挿通チャンネル内の密閉性を維持するために、２箇所に手動栓（蓋体８ｂ）を設けなければならず、構成が複雑になると共に、２つの栓を手動で開閉することから、開閉操作が煩雑になるという不都合がある。
【０００７】
また、上記特許文献１に開示されているように、２つのスリット（Ｓ１，Ｓ２）を設けた鉗子栓８の構造の場合、シリンジを通路に斜めに押し込むことにより、スリット部分（膜）が切れて脱落することが生じる。
【０００８】
本発明は上記問題点に鑑みてなされたものであり、その目的は、２箇所に手動栓を設けることなく、処置具とシリンジの両方を同時に使用することができ、またシリンジの挿入によってスリットの破損が生じることのない内視鏡の鉗子栓を提供することにある。
【課題を解決するための手段】
【０００９】
上記目的を達成するために、請求項１の発明に係る内視鏡の鉗子栓は、内視鏡処置具挿通チャンネルに連通する挿通路を有する本体と、この本体挿通路に連通するように形成され、シリンジ口を有するシリンジ用通路と、このシリンジ用通路の上記本体挿通路側出口を塞ぐように、上記本体挿通路に密着配置し、かつ処置具が挿通可能な通路を確保する弾性チューブを含み、該チューブの上記挿通路上側位置に処置具を通過させかつ栓として機能するスリット栓部を一体形成した弾性チューブ体とを設け、シリンジが上記シリンジ口に接続可能となると共に、処置具が上記スリットから導入可能となるように構成したことを特徴とする。
請求項２の発明は、上記弾性チューブ体の上方に、フランジ状の突出部を形成し、上記本体挿通路には係合溝を形成し、この係合溝に上記突出部を係合させることにより、弾性チューブ体を本体挿通路に固定することを特徴とする。
【００１０】
本発明の構成によれば、弾性チューブ体の上部に設けられたスリット栓部から処置具を処置具挿通チャンネルへ挿入し、この処置具を内視鏡先端部から被観察体内へ導出することができ、このとき、開いたスリットはその弾性により処置具の側面に密着するので、処置具の使用中でも所期の密閉性が確保される。また、このスリット栓部に処置具を挿入した状態又は挿入しない状態で、シリンジ口からシリンジを挿入すると、このシリンジの先端注入管が弾性チューブ体の側面（円筒側面）を押すことにより、又はシリンジから供給される流体によって弾性チューブ体の側面を押すことにより、その側面部が押し潰されるように変形し、シリンジ用通路が自動的に開状態となる。この結果、シリンジ内の流体が処置具挿通チャンネルを介して被観察体へ送給される。一方、シリンジを抜いた後には、弾性チューブ体が元の円筒形状に復元してシリンジ用通路を塞ぐので、処置具も抜くことにより、処置具挿通チャンネル内を完全に密閉状態にすることができる。
【００１１】
請求項２の構成によれば、フランジ状の突出部と係合溝の係合によって弾性チューブ体が本体挿通路にしっかりと固定され、これによって、弾性チューブ体の変形、復元の動作がスムーズに行われる。
【発明の効果】
【００１２】
本発明の内視鏡の鉗子栓によれば、変形及び復元する弾性チューブ体によってシリンジ用通路の開閉が自動的に行われるので、２箇所に手動栓を設けることなく、処置具とシリンジの両方を同時に使用することが可能になる。また、シリンジの斜めの挿入等によってスリットの破損が生じることもないという利点がある。更に、１つの弾性チューブ体に、シリンジ用通路の開閉機能とスリット栓機能の両方を持たせるので、製作が容易になると共に、弾力性が低下して開閉機能又は栓機能が低下した場合等には、弾性チューブ体の交換のみで鉗子栓を継続して使用することができ、経済的かつ無駄のない鉗子栓が得られるという効果がある。
【００１３】
請求項２の構成によれば、弾性チューブ体が本体挿通路に対ししっかりと固定され、弾性チューブ体の変形、復元の動作がスムーズに行われるので、シリンジ用通路の開閉動作が安定して行われるという効果がある。
【発明を実施するための最良の形態】
【００１４】
図１乃至図５には、実施例に係る内視鏡の鉗子栓の構成が示されており、図１は鉗子栓１２の断面、図３及び図４は内視鏡操作部（図６の１Ｃ）に設けられる鉗子口部の構成、図５は鉗子口部の断面である。図３乃至図５に示されるように、鉗子口部１０は操作部の外装体１１の側面から分岐し、内部の処置具挿通チャンネルＣｈの導入口となるように設けられ、この鉗子口部１０に鉗子栓１２が取り付けられる。
【００１５】
図１に示されるように、上記鉗子栓１２は、例えばゴム材質の本体１４を備え、この本体１４に、その中心部を上下方向に貫くように管状挿通路１４ｈが形成されると共に、この挿通路１４ｈの下部へ向けて本体側面上方から斜めに貫通し、該挿通路１４ｈに連通するシリンジ用通路１４ｓが形成される。
【００１６】
そして、上記挿通路１４ｈに、シリンジ用通路１４ｓの開閉機能と鉗子栓１２の栓機能を果たす弾性チューブ体１６が配置されており、この弾性チューブ体１６は、シリコン、フッ素樹脂等によって円筒状に形成され、挿通路１４ｈの内周に嵌合する大きさ（径）の外周を持ち、かつ上記シリンジ用通路１４ｓを塞ぐことができる長さとされる。この弾性チューブ体１６によれば、その側面に圧力が加えられたとき、側面部が潰れるように変形すると共に、円筒状であるため、中心から径方向へ向かう付勢力によって即座に復元することができ、密閉力も高くなる。
【００１７】
また、上記弾性チューブ体１６には、その円筒管の上部に、処置具（１７）を挿入できる大きさのスリット（切込み部）１８を有するスリット栓部が形成されており、このスリット栓部は、円筒管の上部に形成され、挿通路１４ｈの内径よりも大きな外径の所定肉厚の円柱閉塞部の中心にスリット１８を切り込み形成してなる。この円柱閉塞部のスリット栓部は、本体１４側から付勢力を受けることで（図３）、挿通路１４ｈに密着する。そして、上記スリット１８は、処置具を挿入する一方で栓機能を果たしており、処置具の挿入時には、挿通路１４ｈ（処置具挿通チャンネルＣｈ）内を所期の密閉状態、処置具を抜去したときは、挿通路１４ｈ内を完全に密閉状態にすることができる。
【００１８】
上記挿通路１４ｈの上部に配置された弾性チューブ体１６のスリット１８は、鉗子栓１２の入口（処置具挿通チャンネルＣｈの導入口）Ｅａとなるが、上記シリンジ用通路１４ｓの上部はシリンジ口Ｅｂとなり、このシリンジ口Ｅｂ及び通路１４ｓの内径は、シリンジ（注射器）２０の先端注入管（注入口）２０ａが挿入・嵌合可能となる大きさに設定される。
【００１９】
更に、上記弾性チューブ体１６には、その円筒管の上方外周にフランジ状（つば状）突出部１６ａが設けられる。一方、本体１４の挿通路１４ｈの壁面には、上記フランジ状突出部１６ａに嵌合（係合）する環状の係合溝１４ｃが形成されており、この係合溝１４ｃに突出部１６ａが嵌合することで、弾性チューブ体１６が挿通路１４ｈにしっかりと固定される。即ち、上記フランジ状突出部１６ａは、位置固定のための部材であると共に、上記スリット栓部と共にチューブ上側を潰れ難くしており、シリンジ使用時に潰れたチューブ側面の復帰を確実かつ迅速に行う役目を担うものとなる。
【００２０】
このような鉗子栓１２は、図１（Ａ），（Ｂ）に示されるように、本体１４の挿通路１４ｈに対し突出部１６ａを係合溝１４ｃに係合しながら弾性チューブ体１６を装着し、この本体１４を処置具挿通チャンネルＣｈの管部材１９の先端に取り付けることで、図３乃至図５に示される状態の鉗子口部１０が製作される。
【００２１】
実施例は以上の構成からなり、通常の観察状態又は吸引を行う場合は、図１（Ｂ）及び図３に示されるように、スリット１８が閉じられると共に、弾性チューブ体１６の外周面が本体１４の挿通路１４ｈ内面に密着してシリンジ用通路１４ｓ（挿通路１４ｈ側出口）を閉塞するので、処置具挿通チャンネルＣｈ内やこのチャンネルＣｈに連通する吸引管内が高い密閉（気密）状態に保たれ、被観察体内の空気や流体物が内視鏡先端部から処置具挿通チャンネルＣｈを介して漏れたり流出したりすることが防止される。
【００２２】
一方、各種の処置を行う場合は、図２，図４及び図５に示されるように、処置具１７（鉗子等）を鉗子栓１２の入口Ｅａとなる弾性チューブ体１６のスリット１８から挿通路１４ｈへ向けて挿入すれば、弾性チューブ体１６の内部を通り処置具挿通チャンネルＣｈを介して処置具１７を内視鏡先端部まで導くことができ、これによって被観察体の処置が可能となる。
【００２３】
そして、図示されるように、シリンジ２０を用いる場合は、シリンジ口Ｅｂからシリンジ用通路１４ｓにシリンジ２０の先端注入管２０ａを挿入すると、この注入管２０ａが弾性チューブ体１６の側面を押し、更に生理食塩水等の流体を流すことで、この弾性チューブ体１６の側面が押し潰されるように変形し（図２，図５）、流体が処置具挿通チャンネルＣｈを介して被観察体へ送られる。実施例では、シリンジ用通路１４ｓの長さを先端注入管２０ａの長さよりも短くし、この先端注入管２０ａで弾性チューブ体１６の側面を押すようにしているが、この弾性チューブ体１６は、注入される流体の流力によっても変形させることができるので、シリンジ用通路１４ｓの長さは先端注入管２０ａよりも長くしてもよい。
【００２４】
また、上記シリンジ２０を抜いた後は、弾性チューブ体１６の変形が即座に復元し、この弾性チューブ体１６と挿通路１４ｈの密着によって処置具挿通チャンネルＣｈ内の密閉状態が確保される。このようにして、実施例では、シリンジ２０による流体注入を、手動栓の開閉を行うことなく自動的に、また処置具１７の挿入とは関係なく単独で行うことができ、従って処置具１７とシリンジ２０とを同時に挿入し使用することが可能となる。
【００２５】
このような実施例の弾性チューブ体１６は、円筒状であるため、中心から径方向全体に付勢力がかかり、密閉力、復元力が高いという利点がある。例えば、上記シリンジ用通路１４ｓだけを塞ぐ弁を設けることも考えられるが、この場合は、使用回数が多いと、復元力がなくなり密閉力が低下する。
【００２６】
上記実施例では、鉗子栓１２の入口Ｅａに、弾性チューブ体１６の１つのスリット１８を設けた例を示したが、図７に示したように、本体１４の上側に蓋体（８ｂ）を形成することで、２重にスリットを設けることができる。また、上記弾弾性チューブ体１６は、その材質や厚さを適宜選択することで、潰れ変形に対する復元力が高くなるようにしているが、この弾性チューブ体１６内にスポンジのような他の弾性部材を入れることで、復元力を高めるようにしてもよい。
【図面の簡単な説明】
【００２７】
【図１】本発明の実施例に係る内視鏡の鉗子栓の構成を示し、図（Ａ）は分解断面図、図（Ｂ）は弾性チューブ部を取り付けた後の分解断面図である。
【図２】実施例の鉗子栓に対し処置具とシリンジを挿入したときの状態を示す断面図である。
【図３】実施例の鉗子栓を取り付けた鉗子口部の構成を示す斜視図である。
【図４】実施例の鉗子栓に処置具とシリンジを挿入したときの鉗子口部の斜視図である。
【図５】実施例の鉗子栓に処置具とシリンジを挿入したときの鉗子口部の断面図である。
【図６】従来の内視鏡の構成を示す図である。
【図７】従来における内視鏡の鉗子栓の構成を示す断面図である。
【符号の説明】
【００２８】
３，１０…鉗子口部、        ４，Ｃｈ…処置具挿通チャンネル、
８，１２…鉗子栓、          １４…鉗子栓本体、
１４ｈ…挿通路、            １４ｃ…係合溝、
１４ｓ…シリンジ用通路、    １６…弾性チューブ体、
１６ａ…突出部、            １７…処置具、
１８…スリット（栓部）、    １９…管部材、
２０…シリンジ、            Ｅａ…入口、
Ｅｂ…シリンジ口。
【図１】
0005051584.tif 000002
【図２】
0005051584.tif 000003
【図３】
0005051584.tif 000004
【図４】
0005051584.tif 000005
【図５】
0005051584.tif 000006
【図６】
0005051584.tif 000007
【図７】
0005051584.tif 000008